(57)【要約】【課題】  センサを保持した樹脂製サポート部品の軸受への組み込み時に変形や破損が生じることがなく、簡単にかつ安全にセンサを軸受に組み込むことができる回転センサ付軸受を提供する。【解決手段】  転がり軸受１の内外いずれか片方の軌道輪にエンコーダ８を取付ける。このエンコーダ８に対面するセンサ９が組み込まれた環状の樹脂製サポート部品１０を、もう片方の軌道輪３の端面３ｂ側に当接する状態に嵌合させる。樹脂製サポート部品１０には、前記軌道輪３の端面３ｂ側に接する側面とこの側面に対する裏側となる側面に渡る補強ピン１３を設ける。【選択図】      図１
2007198456.tif 000002
【特許請求の範囲】
【請求項１】
転がり軸受の内外いずれか片方の軌道輪にエンコーダを取付け、このエンコーダに対面するセンサが組み込まれた環状の樹脂製サポート部品を、芯金を介してもう片方の軌道輪の端面に当接する状態に嵌合させた回転センサ付軸受において、
前記樹脂製サポート部品に、芯金を介して前記軌道輪の端面に接する側面と、この側面に対する裏側となる側面に渡る補強ピンを設けたことを特徴とする回転センサ付軸受。
【請求項２】
請求項１において、補強ピンの一端面にフランジ形状を設けたことを特徴とする回転センサ付軸受。
【発明の詳細な説明】
【技術分野】
【０００１】
この発明は、モータやエンジン、その他各種の機器に設置される回転センサ付軸受に関する。
【背景技術】
【０００２】
この種の回転センサ付軸受の従来例として、図４に示すように、転がり軸受２１の回転側軌道輪である内輪２２に被検出部であるエンコーダ２８を取付けると共に、固定側軌道輪である外輪２３にエンコーダ２８に径方向に対面するセンサ２９が組み込まれた環状の樹脂製サポート部品３０を取付けたものがある（例えば特許文献１）。これによれば、内輪２２の回転に伴い、センサ２９が回転速度に比例した電気信号に変換し出力する。
【特許文献１】特開平１０−１３２６０３号公報
【発明の開示】
【発明が解決しようとする課題】
【０００３】
しかし、上記構成の回転センサ付軸受では、この軸受を図４のようにハウジング１６へ組み込む場合、センサ２９が組み込まれた樹脂製サポート部品３０を治具１５で押し込むことになる。そのため、樹脂製サポート部品３０に押し込み力が負荷されて、変形や破損が生じ、またセンサの出力精度が劣化するなどの恐れがある。サポート部品３０を金属製とすると、上記押し込み時のサポート部品３０の変形は防止されるが、センサ２９のサポート部品３０への組み込みが難しく、またサポート部品３０の軸受への取付け作業が難しくなる。
【０００４】
この発明の目的は、センサのサポート部品への組み込みや、サポート部品の軸受への取付け作業が容易で、かつ回転センサ付軸受完成品のハウジングへの組み込み時に、変形や破損が生じることがなく、簡単にかつ安全に回転センサ付軸受をハウジングに組み込むことができることである。
【課題を解決するための手段】
【０００５】
この発明の回転センサ付軸受は、転がり軸受の内外いずれか片方の軌道輪にエンコーダを取付け、このエンコーダに対面するセンサが組み込まれた環状の樹脂製サポート部品を、芯金を介してもう片方の軌道輪の端面に当接する状態に嵌合させた回転センサ付軸受において、前記樹脂製サポート部品に、芯金を介して前記軌道輪の端面に接する側面とこの側面に対する裏側となる側面に渡る補強ピンを設けたことを特徴とする。
この構成によると、前記樹脂製サポート部品を治具で押して回転センサ付軸受をハウジングに組み込む際、補強ピンが治具に当たる。そのため、軌道輪の端面には芯金を介して、補強ピンを通じて押し込み力が伝わることになり、樹脂製サポート部品へは押し込み力がかからない。その結果、組み込み時に樹脂製サポート部品に変形や破損が生じることがない。このため、センサの検出精度を劣化させたりすることなく、簡単にかつ安全にセンサを軸受に組み込むことができる。
【発明の効果】
【０００６】
この発明の回転センサ付軸受は、転がり軸受の内外いずれか片方の軌道輪にエンコーダを取付け、このエンコーダに対面するセンサが組み込まれた環状の樹脂製サポート部品を、芯金を介してもう片方の軌道輪の端面に当接する状態に嵌合させた回転センサ付軸受において、前記樹脂製サポート部品に、芯金を介して前記軌道輪の端面に接する側面とこの側面に対する裏側となる側面に渡る補強ピンを設けたため、センサを保持した樹脂製サポート部品の軸受への組み込み時に変形や破損が生じることがなく、簡単にかつ安全にセンサを軸受に組み込むことができる。
【発明を実施するための最良の形態】
【０００７】
この発明の一実施形態を図１ないし図３と共に説明する。この回転センサ付軸受は、図１（Ａ）に断面図で示すように、複数の転動体４を介して互いに回転自在な回転側軌道輪２および固定側軌道輪３を有する転がり軸受１と、この転がり軸受１の一端部に取付けられた回転センサ７とからなる。この回転センサ７は、回転側軌道輪２の一端部に取付けられたエンコーダ８と、固定側軌道輪３の一端部に取付けられた環状の樹脂製サポート部品１０に組み込まれるセンサ９とからなる。ここでは、内輪２が回転側軌道輪、外輪３が固定側軌道輪とされ、内輪２にエンコーダ８が、また外輪３にセンサ９がそれぞれ取付けられる。
【０００８】
エンコーダ８は、前記センサ９に対して径方向に対向するラジアル型の被検出部であって、例えば、内輪２の外周面に圧入嵌合される環状の金属製サポート部材１１の外周側に設けられる環状の永久磁石からなる。エンコーダ８を構成するこの場合の永久磁石は、周方向に向けて磁極Ｎ，Ｓを交互に並べて着磁されたものである。
【０００９】
前記樹脂製サポート部品１０に組み込まれるセンサ９は、例えばホール素子などからなる磁気センサであり、前記エンコーダ８に対して径方向に対面するように配置され、内輪２の回転に伴うエンコーダ８の磁極変化を検出する。この検出信号により、内輪２の回転角度あるいは回転数を知ることができる。センサ９の検出信号は、このセンサ９に接続され樹脂製サポート部品１０から引き出されたケーブル１２より外部に出力される。
【００１０】
樹脂製サポート部品１０は、図２に拡大断面図で示すように、外輪３の内周面に嵌合された芯金１４を介して、この外輪３の端面に当接する状態で芯金１４に嵌合する。この樹脂製サポート部品１０には、図１（Ａ）のように芯金１４を介して外輪３の端面に接する側面と、この側面に対する裏側となる側面に渡る円筒状の補強ピン１３が埋め込んで設けられている。なお、補強ピン１３は円筒状以外の形状のものでも良い。補強ピン１３は、回転センサ付軸受の側面図を示す図１（Ｂ）のように、樹脂製サポート部品１０の周方向に分配して複数本が設けられる。この補強ピン１３は、外輪３の端面側に向く端部にフランジを有する形状とされている。
【００１１】
図２のように外輪３における樹脂製サポート部品１０が取付けられる、端面側の内周面には円筒面が設けられ、樹脂製サポート部品１０は、芯金１４を介して前記円筒面に圧入固定される。
【００１２】
前記転がり軸受１は深溝玉軸受からなり、内輪２の外径面および外輪３の内径面にはそれぞれ転動体４の軌道面２ａ，３ａが形成されており、転動体４は保持器５で保持されている。内輪２と外輪３の間の環状空間は、回転センサ７の設置側とは反対側の端部がシール部材６で密封されている。
【００１３】
この構成の回転センサ付軸受によると、センサ９が組み込まれた環状の樹脂製サポート部品１０を、芯金１４を介して軸受外輪３の内周面に圧入固定し、樹脂製サポート部品１０には、芯金１４を介して前記外輪３の端面３ｂに接する側面と、この側面に対する裏側となる側面に渡る補強ピン１３を設けている。そのため、図３のように回転センサ付軸受を押し込み治具１５でハウジング１６に組み込む際、樹脂製サポート部品１０に押し込み力が負荷されても、その押し込み力は補強ピン１３を通じて芯金を介し外輪３へ伝わり、樹脂製サポート部品１０へは力がかからない。したがって、センサ９の組み込まれた樹脂製サポート部品１０に変形や破損が生じることがなく、センサ９の出力精度の劣化を来すことがない。このことは、樹脂製サポート部品１０の外径が、転がり軸受１の外径以上となっている場合でも同様である。
【００１４】
また、補強ピン１３をフランジ付きとしているので、軸受組み込み後に補強ピン１３が樹脂製サポート部品１０から抜けることがなく、組立も簡単になる。
【００１５】
なお、上記実施形態では、転がり軸受１の内輪２側にエンコーダ８を、外輪３側に樹脂製サポート部品１０を取付けた場合につき説明したが、内輪２側に樹脂製サポート部品１０を取付け、外輪３側にエンコーダ８を取付けても良い。また、回転センサ７を構成するエンコーダ８とセンサ９とは、上記実施形態のように径方向に対面するラジアル型の配置例の場合に限らず、軸方向に対面するスラスト型の配置例のものであっても良い。
【図面の簡単な説明】
【００１６】
【図１】（Ａ）はこの発明の一実施形態にかかる回転センサ付軸受の断面図、            （Ｂ）は同側面図である。
【図２】同回転センサ付軸受における樹脂製サポート部品の拡大断面図である。
【図３】同回転センサ付軸受のハウジングへの組み込み作業の説明図である。
【図４】従来例のハウジングへの組み込み作業の説明図である。
【符号の説明】
【００１７】
１…転がり軸受
２…回転側軌道輪（内輪）
３…固定側軌道輪（外輪）
３ｂ…軸受外輪端面
７…回転センサ
８…エンコーダ
９…センサ
１０…樹脂製サポート部品
１３…補強ピン
１４…芯金
【図１】
2007198456.tif 000003
【図２】
2007198456.tif 000004
【図３】
2007198456.tif 000005
【図４】
2007198456.tif 000006